(57)【要約】【課題】送信される無線信号の一部が偏波分離器の偏波分離度不足により受信のための回路に回り込むことがあってもデータ伝送特性を良好にする。【解決手段】無線装置は、データ信号Ｄ１を２つのデータ信号Ｄ２、Ｄ３に分岐させる分配器１１と、データ信号Ｄ２で変調された無線信号Ｒ１を生成する送信モジュール１２と、偏波分離器１４を介して与えられた無線信号Ｒ１を相手の無線装置に送信するとともに相手の無線装置からの無線信号Ｒ２を受信するアンテナ１３と、アンテナ１３からの無線信号Ｒ２を受信モジュール１５に出力するとともに送信モジュール１２の無線信号Ｒ１をアンテナ１３に出力する偏波分離器１４と、偏波分離器１４からの無線信号Ｒ３を復調する受信モジュール１５と、データ信号Ｄ３の位相を遅延させる遅延器１６と、受信モジュール１５からのデータ信号Ｄ４から遅延器を経由したデータ信号Ｄ３の成分を引算する引算器１７とを備える。【選択図】図１
2010050722.tif 000002
【特許請求の範囲】
【請求項１】
データ信号を分岐させる分配器と、
前記分岐された一方のデータ信号で変調された無線信号を生成する送信モジュールと、
前記無線信号を送信するとともに無線信号を受信するアンテナと、
前記アンテナから入力された無線信号を受信モジュールに出力するとともに前記送信モジュールから入力された無線信号を前記アンテナに出力する偏波分離器と、
前記偏波分離器から出力される無線信号を復調する受信モジュールと、
前記分岐された他方のデータ信号の位相を遅延させる遅延器と、
前記受信モジュールからのデータ信号から前記遅延器を経由したデータ信号の成分を引算する引算器と
を備えることを特徴とする無線装置。
【請求項２】
前記分配器の分配率は、前記受信モジュールから前記引算器へのデータ信号に含まれる前記一方のデータ信号の強度と前記遅延器を経由して前記引算器に与えられたデータ信号の強度とが同じになるように定められていることを特徴とする請求項１記載の無線装置。
【請求項３】
前記受信モジュールからのデータ信号を増幅するベースバンド増幅器と、
前記遅延器を経由するデータ信号を増幅するベースバンド増幅器とを備えることを特徴とする請求項１記載の無線装置。
【請求項４】
前記各ベースバンド増幅器の増幅率は、前記受信モジュールから前記引算器へのデータ信号に含まれる前記一方のデータ信号の成分の強度と前記遅延器を経由して前記引算器に与えられたデータ信号の強度とが同じになるように定められていることを特徴とする請求項３記載の無線装置。
【請求項５】
前記受信モジュールは、前記偏波分離器からの無線信号を増幅する無線信号増幅器を有し、
前記無線装置は、
前記遅延器を経由するデータ信号を増幅するベースバンド増幅器と、
前記無線信号増幅器による増幅後の無線信号の強度を検出し、当該強度が一定となるように無線信号増幅器の増幅度を制御するとともに、当該増幅率に応じて前記ベースバンド増幅器の増幅率を制御する増幅率制御回路とを備えることを特徴とする請求項１記載の無線装置。
【請求項６】
前記増幅率制御回路は、前記受信モジュールから前記引算器へのデータ信号に含まれる前記一方のデータ信号の成分の強度と前記遅延器を経由して前記引算器に与えられるデータ信号の強度とが同じになるようにすることを特徴とする請求項５記載の無線装置。
【請求項７】
前記遅延器の遅延量は、前記受信モジュールから前記引算器へのデータ信号に含まれる前記一方のデータ信号の位相と当該遅延器を経由して前記引算器に与えられるデータ信号の位相とが一致するように定められていることを特徴とする請求項１ないし６のいずれかに記載の無線装置。
【請求項８】
前記引算器から出力されるデータ信号を増幅し且つ増幅後の強度が予め定めた強度以下になるように動作するリミットアンプを備えることを特徴とする請求項１ないし７のいずれかに記載の無線装置。
【発明の詳細な説明】
【技術分野】
【０００１】
本発明は、双方向の偏波多重通信を行う無線装置に関するものである。
【背景技術】
【０００２】
近年、無線通信の大容量化に対応すべく、ミリ波を用いた無線通信システムが開発されている。例えば、６０ＧＨｚ帯の電波を用いた通信速度１．２５Ｇｂｐｓを有するギガビットイーサネット（登録商標）信号（ＧｂＥ信号）を伝送可能な無線通信システムも既に開発されている。また、１２０ＧＨｚ帯の電波を使用して１０ギガビットイーサネット信号（１０ＧｂＥ信号）を伝送可能な無線通信システムも開発されている。  これらの広帯域ＩＰ信号の伝送には、１チャネルあたりの伝送に非常に広い帯域が必要となる。これらの無線通信システムにおいて双方向通信を行うために、周波数多重伝送を行うと、１つの無線通信システムで２チャネル分の帯域を占有する。
【０００３】
占有する帯域を広げずに双方向通信を実現する手法の１つが偏波多重伝送技術である。偏波多重伝送技術とは、偏波の異なる電波に別々のデータを変調して伝送する手法である。この手法を使用すれば、同一の周波数を用いて、２チャネル分のデータを伝送することが可能となる。
【０００４】
偏波多重伝送技術を用いた無線通信システムには、偏波を分離するための偏波分離器が使用される。非特許文献１では、ミリ波帯用の各種の偏波分離器が提案されている。
【０００５】
ところで、こららの偏波分離器においては、偏波間の偏波分離度（アイソレーション）が３０〜４０ｄＢ程度しか得られない。また、無線通信システムでは、受信される無線信号の強度よりも、送信される無線信号の強度が極めて高い。そのため、データ伝送特性が劣化するという問題が生じる。
【０００６】
図５は、無線通信システムにおける無線装置の構成を示すブロック図である。
【０００７】
図５の無線装置では、送信モジュール１２がデータ信号Ｄ１で変調された無線信号Ｒ１を生成する。偏波分離器１４は、無線信号Ｒ１をアンテナ１３に与える。アンテナ１３は、無線信号Ｒ１を空間に放射する。
【０００８】
相手の無線装置は、図５の無線装置に送信しようとするデータ信号を変調し、これにより生成された無線信号Ｒ２を空間に放射する。アンテナ１３は、無線信号Ｒ２を受信し、偏波分離器１４に与える。偏波分離器１４は、アンテナ１３から入力された無線信号Ｒ２を受信モジュール１５に出力するとともに、送信モジュール１２から入力された無線信号Ｒ１をアンテナ１３に出力しかつ受信モジュール１５には出力しないように設計されている。しかしながら、偏波分離器１４のアイソレーション特性が不足している場合、送信モジュール１２から入力された無線信号Ｒ１の一部（Ｒ１’）が受信モジュール１５に出力される。よって、この場合、偏波分離器１４からの無線信号Ｒ３は無線信号Ｒ２だけでなく無線信号Ｒ１の成分Ｒ１’を含む。受信モジュール１５は、無線信号Ｒ３を復調し、復調により得られたデータ信号Ｄ５を出力する。
【０００９】
前述のように、無線信号Ｒ３は無線信号Ｒ１の成分Ｒ１’を含むので、データ信号Ｄ５は、無線信号Ｒ３に含まれる無線信号Ｒ１の成分Ｒ１’に相当するデータ信号Ｄ１’を含む。そのため、データ信号Ｄ５は、相手の無線装置におけるデータ信号に等しくならない場合がある。すなわち、送信される無線信号の一部が受信のための回路に回り込み、データ伝送特性が劣化する。
【非特許文献１】米田  他「９０ＧＨｚ帯分岐導波路形偏分波器」信学技法ＥＭＣＪ９７−７０，  ｐｐ．１３３−１３８
【非特許文献２】ＩＥＥＥ  ＴＲＡＮＳＡＣＴＩＯＮ  ＯＮ  ＭＩＣＲＯＷＡＶＥ  ＴＨＥＯＲＹ  ＡＮＤ  ＴＥＣＨＮＩＱＵＥＳ，  ＶＯＬ．  ５３，  ＮＯ．  １２，  ＤＥＣＥＭＢＥＲ  ２００５
【発明の開示】
【発明が解決しようとする課題】
【００１０】
本発明は、上記の課題に鑑みてなされたものであり、その目的とするところは、送信される無線信号の一部が偏波分離器の偏波分離度不足により受信のための回路に回り込むことがあってもデータ伝送特性を良好にできる無線装置を提供することにある。
【課題を解決するための手段】
【００１１】
上記の課題を解決するために、第１の本発明に係る無線装置は、データ信号を分岐させる分配器と、前記分岐された一方のデータ信号で変調された無線信号を生成する送信モジュールと、前記無線信号を送信するとともに無線信号を受信するアンテナと、前記アンテナから入力された無線信号を受信モジュールに出力するとともに前記送信モジュールから入力された無線信号を前記アンテナに出力する偏波分離器と、前記偏波分離器から出力される無線信号を復調する受信モジュールと、前記分岐された他方のデータ信号の位相を遅延させる遅延器と、前記受信モジュールからのデータ信号から前記遅延器を経由したデータ信号の成分を引算する引算器とを備えることを特徴とする。
【００１２】
例えば、前記分配器の分配率は、前記受信モジュールから前記引算器へのデータ信号に含まれる前記一方のデータ信号の強度と前記遅延器を経由して前記引算器に与えられたデータ信号の強度とが同じになるように定められていることを特徴とする。
【００１３】
例えば、前記受信モジュールからのデータ信号を増幅するベースバンド増幅器と、前記遅延器を経由するデータ信号を増幅するベースバンド増幅器とを備えることを特徴とする。
【００１４】
例えば、前記各ベースバンド増幅器の増幅率は、前記受信モジュールから前記引算器へのデータ信号に含まれる前記一方のデータ信号の成分の強度と前記遅延器を経由して前記引算器に与えられたデータ信号の強度とが同じになるように定められていることを特徴とする。
【００１５】
例えば、前記受信モジュールは、前記偏波分離器からの無線信号を増幅する無線信号増幅器を有し、前記無線装置は、前記遅延器を経由するデータ信号を増幅するベースバンド増幅器と、前記無線信号増幅器による増幅後の無線信号の強度を検出し、当該強度が一定となるように無線信号増幅器の増幅度を制御するとともに、当該増幅率に応じて前記ベースバンド増幅器の増幅率を制御する増幅率制御回路とを備えることを特徴とする。
【００１６】
例えば、前記増幅率制御回路は、前記受信モジュールから前記引算器へのデータ信号に含まれる前記一方のデータ信号の成分の強度と前記遅延器を経由して前記引算器に与えられるデータ信号の強度とが同じになるようにすることを特徴とする。
【００１７】
例えば、前記遅延器の遅延量は、前記受信モジュールから前記引算器へのデータ信号に含まれる前記一方のデータ信号の位相と当該遅延器を経由して前記引算器に与えられるデータ信号の位相とが一致するように定められていることを特徴とする。
【００１８】
例えば、前記引算器から出力されるデータ信号を増幅し且つ増幅後の強度が予め定めた強度以下になるように動作するリミットアンプを備えることを特徴とする。
【発明の効果】
【００１９】
本発明によれば、送信される無線信号の一部が偏波分離器の偏波分離度不足により受信のための回路に回り込むことがあってもデータ伝送特性を良好にできる。
【発明を実施するための最良の形態】
【００２０】
以下、本発明の実施の形態を図面を参照して説明する。
【００２１】
［第１の実施の形態］
図１は、第１の実施の形態に係る無線装置の構成を示すブロック図である。無線装置は、図示しない相手の無線装置との間で双方向の偏波多重通信を行うものである。
【００２２】
無線装置は、図示しない外部の装置から入力されたデータ信号Ｄ１を２つのデータ信号Ｄ２、Ｄ３に分岐させる分配器１１と、分岐された一方のデータ信号Ｄ２で変調された無線信号Ｒ１を生成する送信モジュール１２と、偏波分離器１４を介して与えられた無線信号Ｒ１を空間に放射して相手の無線装置に送信するとともに相手の無線装置から送信された無線信号Ｒ２を受信するアンテナ１３と、アンテナ１３から入力された無線信号Ｒ２を受信モジュール１５に出力するとともに送信モジュール１２から入力された無線信号Ｒ１をアンテナ１３に出力する偏波分離器１４と、偏波分離器１４から出力される無線信号Ｒ３を復調する受信モジュール１５と、分岐された他方のデータ信号Ｄ３の位相を遅延させる遅延器１６と、受信モジュール１５からのデータ信号Ｄ４から遅延器１６を経由したデータ信号Ｄ３の成分を引算する引算器１７とを備える。
【００２３】
分配器１１の分配率、すなわち、データ信号Ｄ２、Ｄ３の強度の比率は、受信モジュール１５から引算器１７へのデータ信号Ｄ４に含まれる一方のデータ信号Ｄ２の成分Ｄ２’の強度と遅延器１６を経由して引算器１７に与えられるデータ信号Ｄ３の強度とが同じになるように定められている。
【００２４】
受信モジュール１５からのデータ信号Ｄ４は無線信号Ｒ２に相当する分だけでなくデータ信号Ｄ２の成分Ｄ２’を含む場合があり、遅延器１６の遅延量は、受信モジュール１５から引算器１７へのデータ信号Ｄ４に含まれる一方のデータ信号Ｄ２の位相と遅延器１６を経由して引算器１７に与えられるデータ信号Ｄ３の位相とが一致するように定められている。
【００２５】
図１の無線装置では、分配器１１が、データ信号Ｄ１を２つのデータ信号Ｄ２、Ｄ３に分岐させる。送信モジュール１２は、分岐された一方のデータ信号Ｄ２で所定の搬送波を変調して無線信号Ｒ１を生成する。偏波分離器１４は無線信号Ｒ１をアンテナ１３に与える。アンテナ１３は、無線信号Ｒ１を空間に放射する。相手の無線装置は、無線信号Ｒ１を受信および復調し、復調によりデータ信号Ｄ１が得られる。
【００２６】
また、相手の無線装置は、図１の無線装置に送信しようとするデータ信号を変調し、生成された無線信号Ｒ２を空間に放射する。アンテナ１３は、無線信号Ｒ２を受信し、偏波分離器１４に与える。偏波分離器１４は、アンテナ１３から入力された無線信号Ｒ２を受信モジュール１５に出力するとともに、送信モジュール１２から入力された無線信号Ｒ１をアンテナ１３に出力しかつ受信モジュール１５には出力しないように設計されている。しかしながら、偏波分離器１４のアイソレーション特性が不足している場合、送信モジュール１２から入力された無線信号Ｒ１の一部（Ｒ１’）が受信モジュール１５に出力される。よって、偏波分離器１４から出力された無線信号Ｒ３は無線信号Ｒ２だけでなく無線信号Ｒ１の成分Ｒ１’を含む。受信モジュール１５は、偏波分離器１４からの無線信号Ｒ３を復調する。
【００２７】
一方、遅延器１６は、分岐された他方のデータ信号Ｄ３の位相を遅延させる。引算器１７は、受信モジュール１５での復調により得られたデータ信号Ｄ４から遅延器１６を経由したデータ信号Ｄ３の成分を引算し、残りのデータ信号Ｄ５を出力する。
【００２８】
前述のように、遅延器１６の遅延量は、受信モジュール１５から引算器１７へのデータ信号Ｄ４に含まれる一方のデータ信号Ｄ２の位相と遅延器１６を経由して引算器１７に与えられるデータ信号Ｄ３の位相とが一致するように定められているので、引算器１７は、データ信号Ｄ４に含まれたデータ信号Ｄ２の成分Ｄ２’とデータ信号Ｄ３とが互いに打ち消すように動作する。
【００２９】
また、前述のように、分配器１１の分配率は、受信モジュール１５から引算器１７へのデータ信号Ｄ４に含まれる一方のデータ信号Ｄ２の成分Ｄ２’の強度と遅延器１６を経由して引算器１７に与えられるデータ信号Ｄ３の強度とが同じになるように定められているので、引算器１７は、データ信号Ｄ４に含まれたデータ信号Ｄ２の成分Ｄ２’とデータ信号Ｄ３とが互いに打ち消すように動作する。
【００３０】
これにより、データ信号Ｄ５は、無線信号Ｒ２に相当するもの、つまり、相手の無線装置における変調前のデータ信号に等しくなる。
【００３１】
以上のように、第１の実施の形態によれば、偏波分離器１４の偏波分離度が不足している場合であっても、データ信号を受信でき、もって、データ伝送特性を良好にできる。
【００３２】
なお、第１の実施の形態では、分配器１１の分配率を、受信モジュール１５から引算器１７へのデータ信号Ｄ４に含まれる一方のデータ信号Ｄ２の成分Ｄ２’の強度と遅延器１６を経由して引算器１７に与えられるデータ信号Ｄ３の強度とが同じになるように定めたが、当該強度どうしは同じでなくてもよい。前述の位相差が生じていれば、これにより、引算器１７は、少なくとも、データ信号Ｄ４に含まれたデータ信号Ｄ２の成分Ｄ２’とデータ信号Ｄ３とが互いに打ち消すように動作するからである。
【００３３】
また、第１の実施の形態では、遅延器１６の遅延量を、受信モジュール１５から引算器１７へのデータ信号Ｄ４に含まれる一方のデータ信号Ｄ２の位相と遅延器１６を経由して引算器１７に与えられるデータ信号Ｄ３の位相とが一致するように定めたが、かかる設定は必須でなく、引算器１７へのデータ信号Ｄ４に含まれる一方のデータ信号Ｄ２の位相と遅延器１６を経由して引算器１７に与えられるデータ信号Ｄ３との間に位相差が生じていればよい。これにより、引算器１７は、データ信号Ｄ４に含まれたデータ信号Ｄ２の成分Ｄ２’とデータ信号Ｄ３とが互いに打ち消すように動作するからである。これは、以下に説明する各実施の形態でも同様である。
【００３４】
また、第１の実施の形態では、送信モジュール１２に代えて、データ信号Ｄ１で変調された中間周波数（ＩＦ：Intermediate Frequency)帯の無線信号を生成する変調器と、当該無線信号の周波数を上昇させる周波数変換器（アップコンバータ）を設け、受信モジュール１５に代えて、無線信号Ｒ３の周波数を低下させる周波数変換器（ダウンコンバータ）と、周波数低下後つまり中間周波数帯の無線信号を復調する復調器を設けてもよい。これは、以下に説明する各実施の形態でも同様である。
【００３５】
［第２の実施の形態］
図２は、第２の実施の形態に係る無線装置の構成を示すブロック図である。無線装置は、第１の実施の形態に係る無線装置を構成する大部分の要素を備え、当該要素には同一符号が付与されている。以下、かかる要素の重複説明を省略し、差異を中心に説明する。
【００３６】
無線装置は、受信モジュール１５からのデータ信号を増幅するベースバンド増幅器１８と、遅延器１６を経由するデータ信号を増幅するベースバンド増幅器１９とを備える。
【００３７】
ベースバンド増幅器１９は、図のように遅延器１６と引算器１７の間に、または、図示しないが、分配器１１と遅延器１６の間に配置される。
【００３８】
各ベースバンド増幅器１８、１９の増幅率は、受信モジュール１５から引算器１７へのデータ信号Ｄ４に含まれる一方のデータ信号Ｄ２の成分Ｄ２’の強度と遅延器１６を経由して引算器１７に与えられるデータ信号Ｄ３の強度とが同じになるように定められている。したがって、分配器１１の分配率は任意に設定されている。
【００３９】
なお、遅延器１６の遅延量は、第１の実施の形態と同様に設定されている。
【００４０】
図２の無線装置では、図１の無線装置と同様に、相手の無線装置とで無線信号を送受信する。
【００４１】
また、図２の無線装置では、同様に、引算器１７は、データ信号Ｄ４に含まれたデータ信号Ｄ２の成分Ｄ２’とデータ信号Ｄ３とが互いに打ち消すように動作する。
【００４２】
また、前述のように、各ベースバンド増幅器１８、１９の増幅率は、受信モジュール１５から引算器１７へのデータ信号Ｄ４に含まれる一方のデータ信号Ｄ２の成分Ｄ２’の強度と遅延器１６を経由して引算器１７に与えられるデータ信号の強度とが同じになるように定められているので、引算器１７は、データ信号Ｄ４に含まれたデータ信号Ｄ２の成分Ｄ２’とデータ信号Ｄ３とが互いに打ち消すように動作する。
【００４３】
これにより、データ信号Ｄ５は、無線信号Ｒ２に相当するもの、つまり、相手の無線装置における変調前のデータ信号に等しくなる。
【００４４】
以上のように、第２の実施の形態によれば、偏波分離器１４の偏波分離度が不足している場合であっても、データ信号を受信でき、もって、データ伝送特性を良好にできる。
【００４５】
なお、第２の実施の形態では、各ベースバンド増幅器１８、１９の増幅率を、受信モジュール１５から引算器１７へのデータ信号Ｄ４に含まれる一方のデータ信号Ｄ２の成分Ｄ２’の強度と遅延器１６を経由して引算器１７に与えられるデータ信号の強度とが同じになるように定めたが、当該強度どうしは同じでなくてもよい。前述の位相差が生じていれば、これにより、引算器１７は、少なくとも、データ信号Ｄ４に含まれたデータ信号Ｄ２の成分Ｄ２’とデータ信号Ｄ３とが互いに打ち消すように動作するからである。
【００４６】
［第３の実施の形態］
図３は、第３の実施の形態に係る無線装置の構成を示すブロック図である。無線装置は、第２の実施の形態に係る無線装置を構成する大部分の要素を備え、当該要素には同一符号が付与されている。以下、かかる要素の重複説明を省略し、差異を中心に説明する。
【００４７】
無線装置は、引算器１７から出力されるデータ信号Ｄ５を増幅し且つ増幅後の強度が予め定めた強度以下になるように動作するリミットアンプ１１０を備える。
【００４８】
図３の無線装置では、図１の無線装置と同様に、相手の無線装置とで無線信号を送受信する。
【００４９】
また、図１の無線装置と同様に、引算器１７は、データ信号Ｄ４に含まれたデータ信号Ｄ２の成分Ｄ２’とデータ信号Ｄ３とが互いに打ち消すように動作する。
【００５０】
これにより、データ信号Ｄ５は、相手の無線装置における変調前のデータ信号に等しくなる。
【００５１】
リミットアンプ１１０は、そのデータ信号Ｄ５を増幅し且つ増幅後の強度が予め定めた強度以下になるように動作する。
【００５２】
これにより、相手の無線装置における変調前のデータ信号に等しいデータ信号Ｄ５を予め定めた強度以下の強度を有するデータ信号に変換することができる。
【００５３】
ここで、図示しないが、比較例として、リミットアンプ１１０に代えて、受信モジュール１５から引算器１７へのデータ信号Ｄ４を予め定めた振幅以下になるように増幅するリミットアンプを備えた無線装置を考える。
【００５４】
例えば、比較例の無線装置におけるリミットアンプは、ベースバンド増幅器１８と引算器１７の間に配置される。
【００５５】
この配置にあっては、そのリミットアンプへのデータ信号Ｄ４の振幅が予め定めた振幅以下なら、そのデータ信号Ｄ４の強度に応じて、リミットアンプからのデータ信号つまり引算器１７へのデータ信号の強度も変化する。よって、引算器１７では、受信モジュール１５からのデータ信号Ｄ４が変化した場合であっても、そのデータ信号Ｄ４に含まれたデータ信号Ｄ２の成分Ｄ２’とデータ信号Ｄ３とが互いに打ち消すことができる。
【００５６】
しかし、リミットアンプへのデータ信号Ｄ４の振幅が予め定めた振幅より大きいなら、そのデータ信号Ｄ４の強度に応じて、リミットアンプからのデータ信号つまり引算器１７へのデータ信号の強度は変化せず一定となる。よって、引算器１７では、受信モジュール１５からのデータ信号Ｄ４が変化した場合、データ信号Ｄ４に含まれたデータ信号Ｄ２の成分Ｄ２’とデータ信号Ｄ３とが互いに打ち消すことができない。その結果、相手の無線装置における変調前のデータ信号に等しいデータ信号を得ることができない。
【００５７】
また、例えば、比較例の無線装置におけるリミットアンプは、受信モジュール１５とベースバンド増幅器１８の間に配置される。
【００５８】
この配置にあっては、そのリミットアンプへのデータ信号Ｄ４の振幅が予め定めた振幅以下なら、そのデータ信号Ｄ４の強度に応じて、リミットアンプからのデータ信号つまりベースバンド増幅器１８へのデータ信号の強度も変化する。同様に、ベースバンド増幅器１８からのデータ信号つまり引算器１７へのデータ信号も変化する。よって、引算器１７では、受信モジュール１５からのデータ信号Ｄ４が変化した場合であっても、そのデータ信号Ｄ４に含まれたデータ信号Ｄ２の成分Ｄ２’とデータ信号Ｄ３とが互いに打ち消すことができる。
【００５９】
しかし、リミットアンプへのデータ信号Ｄ４の振幅が予め定めた振幅より大きいなら、そのデータ信号Ｄ４の強度に応じて、リミットアンプからのデータ信号つまりベースバンド増幅器１８へのデータ信号の強度は変化せず一定となる。同様に、ベースバンド増幅器１８からのデータ信号つまり引算器１７へのデータ信号の強度も変化せず一定となる。よって、引算器１７では、受信モジュール１５からのデータ信号Ｄ４が変化した場合、データ信号Ｄ４に含まれたデータ信号Ｄ２の成分Ｄ２’とデータ信号Ｄ３とが互いに打ち消すことができない。その結果、相手の無線装置における変調前のデータ信号に等しいデータ信号を得ることができない。
【００６０】
こうした比較例の無線装置に対し、図３の無線装置は、前述のように相手の無線装置における変調前のデータ信号に等しいデータ信号Ｄ５を予め定めた強度以下の強度を有するデータ信号に変換することができる。
【００６１】
なお、第３の実施の形態では、引算器１７から出力されるデータ信号を予め定めた振幅以下になるように増幅するリミットアンプを設けたが、かかる構成は、第１の実施の形態、ならびに、以下に説明する第４の実施の形態でも有効である。
【００６２】
［第４の実施の形態］  
図４は、第４の実施の形態に係る無線装置の構成を示すブロック図である。無線装置は、第１の実施の形態に係る無線装置を構成する大部分の要素を備え、当該要素には同一符号が付与されている。以下、かかる要素の重複説明を省略し、差異を中心に説明する。
【００６３】
受信モジュール１５は、偏波分離器１４からの無線信号Ｒ３を増幅する無線信号増幅器１５１と検波器１５２を有する。
【００６４】
無線装置は、遅延器を経由するデータ信号を増幅するベースバンド増幅器１９と、受信モジュール１５の無線信号増幅器１５１による増幅後の無線信号の強度を検出し、当該強度が一定になるように無線信号増幅器１５１の増幅率を制御するとともに、当該増幅率に応じてベースバンド増幅器１９の増幅率を制御する増幅率制御回路１１１とを備える。
【００６５】
ベースバンド増幅器１９は、図のように遅延器１６と引算器１７の間に、または、図示しないが、分配器１１と遅延器１６の間に配置される。
【００６６】
例えば、増幅率制御回路１１１は、検波器１５２から出力されるモニタ電圧により強度を検出し、当該モニタ電圧が一定となるように無線信号増幅器１５１に与えるゲイン調整電圧を制御するとともに、当該ゲイン調整電圧に基づいて、ベースバンド増幅器１９に与えるゲイン調整電圧を調整する。
【００６７】
増幅率制御回路１１１は、受信モジュール１５から引算器１７へのデータ信号Ｄ４に含まれる一方のデータ信号Ｄ２の成分Ｄ２’の強度と遅延器１６を経由して引算器１７に与えられたデータ信号Ｄ３の強度とが同じになるようにベースバンド増幅器１９の増幅率を制御するようになっている。したがって、分配器１１の分配率は任意に設定されている。
【００６８】
なお、遅延器１６の遅延量は、第１の実施の形態と同様に設定されている。
【００６９】
図４の無線装置では、図１の無線装置と同様に、相手の無線装置とで無線信号を送受信する。
【００７０】
また、図１の無線装置と同様に、引算器１７は、遅延器１６の設定により、データ信号Ｄ４に含まれたデータ信号Ｄ２の成分Ｄ２’とデータ信号Ｄ３とが互いに打ち消すように動作する。
【００７１】
また、前述のように、増幅率制御回路１１１は、受信モジュール１５から引算器１７へのデータ信号Ｄ４に含まれる一方のデータ信号Ｄ２の成分Ｄ２’の強度と遅延器１６を経由して引算器１７に与えられたデータ信号Ｄ３の強度とが同じになるようにベースバンド増幅器１９の増幅率を制御する。これにより、引算器１７は、データ信号Ｄ４に含まれたデータ信号Ｄ２の成分Ｄ２’とデータ信号Ｄ３とが互いに打ち消すように動作する。
【００７２】
これにより、データ信号Ｄ５は、無線信号Ｒ２に相当するもの、つまり、相手の無線装置における変調前のデータ信号に等しくなる。
【００７３】
以上のように、第４の実施の形態によれば、偏波分離器１４の偏波分離度が不足している場合であっても、データ信号を受信でき、もって、データ伝送特性を良好にできる。
【図面の簡単な説明】
【００７４】
【図１】第１の実施の形態に係る無線装置の構成を示すブロック図である。
【図２】第２の実施の形態に係る無線装置の構成を示すブロック図である。
【図３】第３の実施の形態に係る無線装置の構成を示すブロック図である。
【図４】第４の実施の形態に係る無線装置の構成を示すブロック図である。
【図５】従来における無線装置の構成を示すブロック図である。
【符号の説明】
【００７５】
１１…分配器
１２…送信モジュール
１３…アンテナ
１４…偏波分離器
１５…受信モジュール
１６…遅延器
１７…引算器
１８、１９…ベースバンド増幅器
１１０…リミットアンプ
１１１…増幅率制御回路
１５１…無線信号増幅器
１５２…検波器
Ｄ１、Ｄ２、Ｄ３、Ｄ４、Ｄ５…データ信号
Ｄ２’…データ信号Ｄ２の成分
Ｒ１、Ｒ２、Ｒ３…無線信号
Ｒ１’…無線信号Ｒ１の成分
【図１】
2010050722.tif 000003
【図２】
2010050722.tif 000004
【図３】
2010050722.tif 000005
【図４】
2010050722.tif 000006
【図５】
2010050722.tif 000007